(57)【要約】      （修正有）【課題】外光の影響による画質低下の発生を防止可能な画像読取装置及びこれを備える画像形成装置を提供する。【解決手段】原稿を載置可能なプラテンガラスを有する筐体と、プラテンガラスに載置された原稿に光を照射するランプ４２１と、原稿からの反射光を集光するレンズ４２３と、レンズが集光した光を電気信号に光電変換するイメージセンサ４２４と、を有する。筐体の内部に配置される画像読取部４２０と、イメージセンサが光電変換した電気信号を画質調整する画像処理部４１３と、画像処理部が画質調整を実行することを要求されたときに、所定の外光が筐体の外部からプラテンガラスに到達しようとしても、到達の前に所定の障害物により遮られる入射不能状態にあれば、画像処理部に画質調整を実行させる制御部１０４と、を備えた。【選択図】図２
2016052109.tif 000002
【特許請求の範囲】
【請求項１】
原稿を載置可能なプラテンガラスを有する筐体と、
前記プラテンガラスに載置された原稿に光を照射する光源と、前記光の照射による前記原稿からの反射光を集光する光学系と、前記光学系が集光した光を電気信号に光電変換する光電変換部と、を有し、前記筐体の内部に配置される読取り手段と、
前記光電変換部から出力された前記電気信号を用いて画像読取りのための画質調整をする画質調整手段と、
前記画質調整手段が前記画質調整を実行することを要求されたときに、所定の外光が前記筐体の外部から前記プラテンガラスに到達しようとしても、該到達の前に所定の障害物により遮られる入射不能状態にあれば、前記画質調整手段に前記画質調整を実行させる第１制御手段と、
を備えたことを特徴とする画像読取装置。
【請求項２】
前記画質調整手段が前記画質調整を実行することを要求されたときに、所定の外光が前記筐体の外部から前記プラテンガラスを通過して前記光電変換部に入射することが可能な入射可能状態にあれば、前記画質調整手段が前記画質調整を実行することを保留する第２制御手段を更に備えることを特徴とする請求項１に記載の画像読取装置。
【請求項３】
前記入射可能状態を検出したときに、該入射可能状態から前記入射不能状態への遷移のための操作をすることをユーザに促すメッセージを出力するメッセージ出力手段を更に備えることを特徴とする請求項２に記載の画像読取装置。
【請求項４】
前記所定の障害物とは、プラテンカバー又は原稿であり、
前記プラテンガラスが前記プラテンカバーにより覆われている状態又は前記プラテンガラスに前記原稿が搭載されている状態を、前記入射不能状態であると判断する外光遮断検出手段を更に備えることを特徴とする請求項１乃至３の何れか１項に記載の画像読取装置。
【請求項５】
前記画質調整は、ゲイン調整、白レベルシェーディング調整及び黒レベルシェーディング調整のうちの少なくとも１つを含むことを特徴とする請求項１乃至４の何れか１項に記載の画像読取装置。
【請求項６】
原稿を載置可能なプラテンガラスを有する筐体と、
前記プラテンガラスに載置された原稿に光を照射する光源と、前記光の照射による原稿からの反射光を集光する光学系と、前記光学系が集光した光を電気信号に光電変換する光電変換部と、を有し、前記筐体の内部に配置される読取り手段と、
前記光電変換部から出力された前記電気信号を用いて画像読取りのための画質調整をする画質調整手段と、
前記画質調整手段が前記画質調整を実行することを要求されたときに、所定の外光が前記筐体の外部から前記プラテンガラスを通過して前記光電変換部に入射している入射状態にあるか否かを判断するための判断手段と、
前記判断手段により前記所定の外光が入射していることが判断された場合には、入射を無くすための操作をすることをユーザに促すためのメッセージと、入射を無くすための操作をしなくても処理を継続してよいか否かをユーザに問うためのメッセージとを出力するためのメッセージ出力手段と、
前記メッセージの出力に応じて、入射を無くすための操作をしなければ処理を継続してはいけないことを示すための操作をユーザから入力した場合には、前記所定の外光が前記筐体の外部から前記プラテンガラスに到達しようとしても、該到達の前に所定の障害物により遮られる入射不能状態になってから、前記画質調整手段に前記画質調整を実行させるための第１制御手段と、
を備えることを特徴とする画像読取装置。
【請求項７】
前記判断手段により前記所定の外光が入射していないことが判断された場合には、前記画質調整手段に前記画質調整を実行させるための第２制御手段を更に備えることを特徴とする請求項６に記載の画像読取装置。
【請求項８】
前記メッセージの出力に応じて、入射を無くすための操作をしなくても処理を継続してもよいことを示すための操作をユーザから入力した場合には、前記所定の外光が前記筐体の外部から前記プラテンガラスに到達しようとしても、該到達の前に所定の障害物により遮られる入射不能状態に前記入射状態から遷移しているか否かに関わらず、前記画質調整手段に前記画質調整を実行させ、該実行後に該実行の結果に基づいて、該実行が前記入射状態で行われたか否かを判断し、該判断の結果が肯定的であれば、前記実行の結果を修正するための第３制御手段を更に備えることを特徴とする請求項６又は７に記載の画像読取装置。
【請求項９】
前記所定の障害物とは、プラテンカバー又は原稿であり、
前記プラテンガラスが前記プラテンカバーにより覆われている状態又は前記プラテンガラスに前記原稿が搭載されている状態を、前記入射不能状態であると判断する外光遮断検出手段を更に備えることを特徴とする請求項６乃至８の何れか１項に記載の画像読取装置。
【請求項１０】
前記画質調整は、ゲイン調整、白レベルシェーディング調整及び黒レベルシェーディング調整のうちの少なくとも１つを含むことを特徴とする請求項６乃至９の何れか１項に記載の画像読取装置。
【請求項１１】
請求項１から１０の何れか１項に記載の画像読取装置と、
前記画像読取装置により読み取られた画像を、前記電気信号を用いて、シートに形成する画像形成装置本体と、を備えた、
ことを特徴とする画像形成装置。
【請求項１２】
原稿を載置可能なプラテンガラスを有する筐体と、前記プラテンガラスに載置された原稿に光を照射する光源と、前記光の照射による前記原稿からの反射光を集光する光学系と、前記光学系が集光した光を電気信号に光電変換する光電変換部と、を有し、前記筐体の内部に配置される読取り手段と、前記光電変換部から出力された前記電気信号を用いて画像読取りのための画質調整をする画質調整手段と、を備えた画像読取装置による画像読取方法であって、
前記画質調整を実行することを要求されたときに、所定の外光が前記筐体の外部から前記プラテンガラスに到達しようとしても、該到達の前に所定の障害物により遮られる入射不能状態にあれば、前記画質調整手段に前記画質調整を実行させることを特徴とする画像読取方法。
【請求項１３】
前記画質調整を実行することを要求されたときに、所定の外光が前記筐体の外部から前記プラテンガラスを通過して前記光電変換部に入射することが可能な入射可能状態にあれば、前記画質調整手段が前記画質調整を実行することを保留することを特徴とする請求項１２に記載の画像読取方法。
【請求項１４】
前記入射可能状態を検出したときに、該入射可能状態から前記入射不能状態への遷移のための操作をすることをユーザに促すメッセージを出力することを特徴とする請求項１３に記載の画像読取方法。
【請求項１５】
前記所定の障害物とは、プラテンカバー又は原稿であり、
前記プラテンガラスが前記プラテンカバーにより覆われている状態又は前記プラテンガラスに前記原稿が搭載されている状態を、前記入射不能状態であると判断することを特徴とする請求項１２乃至１４の何れか１項に記載の画像読取方法。
【請求項１６】
前記画質調整は、ゲイン調整、白レベルシェーディング調整及び黒レベルシェーディング調整のうちの少なくとも１つを含むことを特徴とする請求項１２乃至１５の何れか１項に記載の画像読取方法。
【請求項１７】
原稿を載置可能なプラテンガラスを有する筐体と、前記プラテンガラスに載置された原稿に光を照射する光源と、前記光の照射による原稿からの反射光を集光する光学系と、前記光学系が集光した光を電気信号に光電変換する光電変換部と、を有し、前記筐体の内部に配置される読取り手段と、前記光電変換部から出力された前記電気信号を用いて画像読取りのための画質調整をする画質調整手段と、を備えた画像読取装置による画像読取方法であって、
前記画質調整を実行することを要求されたときに、所定の外光が前記筐体の外部から前記プラテンガラスを通過して前記光電変換部に入射している入射状態にあるか否かを判断し、
前記所定の外光が入射していることが判断された場合には、入射を無くすための操作をすることをユーザに促すためのメッセージと、入射を無くすための操作をしなくても処理を継続してよいか否かをユーザに問うためのメッセージとを出力し、
前記メッセージの出力に応じて、入射を無くすための操作をしなければ処理を継続してはいけないことを示すための操作をユーザから入力した場合には、前記所定の外光が前記筐体の外部から前記プラテンガラスに到達しようとしても、該到達の前に所定の障害物により遮られる入射不能状態になってから、前記画質調整手段に前記画質調整を実行させることを特徴とする画像読取方法。
【請求項１８】
前記所定の外光が入射していないことが判断された場合には、前記画質調整手段に前記画質調整を実行させることを特徴とする請求項１７に記載の画像読取方法。
【請求項１９】
前記メッセージの出力に応じて、入射を無くすための操作をしなくても処理を継続してもよいことを示すための操作をユーザから入力した場合には、前記所定の外光が前記筐体の外部から前記プラテンガラスに到達しようとしても、該到達の前に所定の障害物により遮られる入射不能状態に前記入射状態から遷移しているか否かに関わらず、前記画質調整手段に前記画質調整を実行させ、該実行後に該実行の結果に基づいて、該実行が前記入射状態で行われたか否かを判断し、該判断の結果が肯定的であれば、前記実行の結果を修正することを特徴とする請求項１７又は１８に記載の画像読取方法。
【請求項２０】
前記所定の障害物とは、プラテンカバー又は原稿であり、
前記プラテンガラスが前記プラテンカバーにより覆われている状態又は前記プラテンガラスに前記原稿が搭載されている状態を、前記入射不能状態であると判断することを特徴とする請求項１７乃至１９の何れか１項に記載の画像読取方法。
【請求項２１】
前記画質調整は、ゲイン調整、白レベルシェーディング調整及び黒レベルシェーディング調整のうちの少なくとも１つを含むことを特徴とする請求項１７乃至２０の何れか１項に記載の画像読取方法。
【請求項２２】
コンピュータを請求項１乃至１０の何れか１項に記載の画像読取装置として機能させることを特徴とする画像読取用プログラム。
【発明の詳細な説明】
【技術分野】
【０００１】
本発明は、原稿の画像を読み取るための画像読取装置、該画像読取装置を備える画像形成装置及び画像読取方法並びに画像読取用プログラムに関する。
【背景技術】
【０００２】
従来、プラテンガラスの上に原稿を載置し、プラテンガラスの下方から、原稿に光を照射して原稿の画像を読み取る画像読取装置が知られている。また、このような画像読取装置には、原稿に光を照射して反射光を光学系で集光し、集光した反射光をＣＣＤ等で光電変換する、所謂、縮小光学系の画像読取装置がある。
【０００３】
ここで、縮小光学系の画像読取装置は、プラテンガラスの下方から原稿に向けて光を照射し、原稿からの反射光をミラー等で反射させて光学系に集光させる。また、光学系は、一般に、入射方向がプラテンガラスの平面方向と略平行となるようにプラテンガラスの下方に配置されており、ミラーによってプラテンガラスの平面方向と略平行に反射された光を集光している。
【０００４】
そのため、例えば、窓際等の強い外光を受けやすい場所に画像読取装置を配置すると、プラテンガラスの上に原稿を置くためにプラテンガラスを開放した際（例えば、プラテンカバーを開けた際）に、西日や夕日又はこれらの反射光等、所定角度に放射される強い外光が、光学系に入射するおそれがある。光学系に上述の外光が入射すると、スリープからの立ち上がり時等に行われるゲイン調整において、ＣＣＤに入力される入力値（つまり光量の値）が異常となるおそれがある。入力値が異常になると、複写した画像が複写不良となったり、画像読取装置が停止してしまったりする。
【０００５】
これに対しては、ゲイン調整時の入力値が異常であるか否かを判断し、入力値が異常の場合は、予め記憶された設定値を用いてゲイン調整を行う画像読取装置が提案されている（例えば、特許文献１参照）。
【先行技術文献】
【特許文献】
【０００６】
【特許文献１】特開２００６−３１１２１９号公報
【発明の概要】
【発明が解決しようとする課題】
【０００７】
しかしながら、特許文献１に記載の画像読取装置は、予め記憶された設定値を用いてゲイン調整を行うため、現時点での画像読取装置に対応した適切なゲイン調整を行うことができないおそれがある。そのため、複写した画像の画質を低下させるおそれがある。特に、コンビニエンスストア等、対価を伴うサービスとして原稿の複写を提供する場合、画質が低下した画像を出力することは好ましくない。
【０００８】
そこで、本発明は、外光の影響による画質低下の発生を防止可能な画像読取装置、これを備える画像形成装置及び画像読取方法並びに画像読取用プログラムを提供することを目的とする。
【課題を解決するための手段】
【０００９】
本発明による画像読取装置は、原稿を載置可能なプラテンガラスを有する筐体と、前記プラテンガラスに載置された原稿に光を照射する光源と、前記光の照射による前記原稿からの反射光を集光する光学系と、前記光学系が集光した光を電気信号に光電変換する光電変換部と、を有し、前記筐体の内部に配置される読取り手段と、前記光電変換部から出力された前記電気信号を用いて画像読取りのための画質調整をする画質調整手段と、前記画質調整手段が前記画質調整を実行することを要求されたときに、所定の外光が前記筐体の外部から前記プラテンガラスに到達しようとしても、該到達の前に所定の障害物により遮られる入射不能状態にあれば、前記画質調整手段に前記画質調整を実行させる第１制御手段と、を備えたことを特徴とする。
【００１０】
また、本発明による画像形成装置は、上記の画像読取装置と、該画像読取装置により読み取られた画像を、前記電気信号を用いて、シートに形成する画像形成装置本体と、を備えたことを特徴とする。
【００１１】
また、本発明による画像読取方法は、原稿を載置可能なプラテンガラスを有する筐体と、前記プラテンガラスに載置された原稿に光を照射する光源と、前記光の照射による前記原稿からの反射光を集光する光学系と、前記光学系が集光した光を電気信号に光電変換する光電変換部と、を有し、前記筐体の内部に配置される読取り手段と、前記光電変換部から出力された前記電気信号を用いて画像読取りのための画質調整をする画質調整手段と、を備えた画像読取装置による画像読取方法であって、前記画質調整を実行することを要求されたときに、所定の外光が前記筐体の外部から前記プラテンガラスに到達しようとしても、該到達の前に所定の障害物により遮られる入射不能状態にあれば、前記画質調整手段に前記画質調整を実行させることを特徴とする。
【００１２】
また、本発明によるプログラムは、コンピュータを上記の画像読取装置として機能させることを特徴とする。
【発明の効果】
【００１３】
本発明によれば、外光が遮られた状態で画質調整を行うことで、外光の影響による画質低下の発生を防止することができる。
【図面の簡単な説明】
【００１４】
【図１】本発明の実施形態に係るプリンタを模式的に示す断面図である。
【図２】本発明の実施形態に係るプリンタの機能を概略的に示す機能ブロック図である。
【図３】本発明の実施形態に係る画像読取装置の斜視図である。
【図４】本発明の実施形態に係る読取装置本体の内部構造を示す図である。
【図５】本発明の読取装置本体による原稿の読取り動作を示す図である。
【図６】本発明の実施形態に係るゲイン調整時の画像処理部への入力信号の値を示す図である。
【図７】本発明の第１実施形態に係るプリンタの画質調整時の動作を示すフローチャートである。
【図８】本発明の第１実施形態に係る画像読取装置の表示部及び表示部に表示されるメッセージを示す図である。
【図９】本発明の第２実施形態に係るプリンタの画質調整時の動作を示すフローチャートである。
【図１０】本発明の第２実施形態に係る画像読取装置の表示部に表示されるメッセージを示す図である。
【図１１】本発明の第２実施形態に係るゲイン調整における黒レベルの基準データを示す図である。
【発明を実施するための形態】
【００１５】
本発明の実施形態に係る画像形成装置について、図面を参照しながら説明する。本発明の実施形態に係る画像形成装置は、複写機、プリンタ、ファクシミリ及びこれらの複合機等、原稿の画像を読み取り可能な画像読取装置を備えた画像形成装置である。以下においては、本発明の画像形成装置の一例として、電子写真方式のレーザビームプリンタ（以下、「プリンタ」という）を用いて説明する。
【００１６】
＜第１実施形態＞
第１実施形態に係るプリンタ１００について、図１から図８を参照しながら説明する。まず、第１実施形態に係るプリンタ１００の概略構成について、図１及び図２を参照しながら説明する。図１は、本発明の実施形態に係るプリンタ１００を模式的に示す断面図である。図２は、本実施形態に係るプリンタ１００の機能を概略的に示す機能ブロック図である。
【００１７】
図１及び図２に示すように、プリンタ１００は、原稿の画像を読み取る画像読取装置１０１と、シートに画像を形成するプリンタ本体（画像形成部本体）１０２と、画像読取装置１０１及びプリンタ本体１０２を操作するための操作部１０３と、操作部１０３による操作に基づいて画像読取装置１０１及びプリンタ本体１０２を制御する制御部（制御手段）１０４と、を備えている。
【００１８】
画像読取装置１０１は、原稿を自動給送する原稿自動給送部４００と、原稿の画像を読み取る読取装置本体４１０と、を備えている。なお、画像読取装置１０１については、後に詳しく説明する。
【００１９】
プリンタ本体１０２は、シートを給送するシート給送部１０と、シートを手差し給送可能な手差し給送部２０と、シート給送部１０又は手差し給送部２０により給送されるシートに画像を形成する画像形成部３０と、を備えている。
【００２０】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００２１】
手差し給送部２０は、シートを積載可能な手差しトレイ２１と、手差しトレイ２１に積載されたシートを１枚ずつ分離給送する分離給送部２２と、を備えている。手差しトレイ２１は、プリンタ本体１０２に回動自在に支持されており、手差し給送する際には、回動させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００２２】
画像形成部３０は、イエロー（Ｙ）、マゼンタ（Ｍ）、シアン（Ｃ）、ブラック（Ｂ）の画像を形成する４つのプロセスカートリッジ３１Ｙ〜３１Ｂと、後述する感光体ドラム３００Ｙ〜３００Ｂの表面を露光する露光装置３２と、感光体ドラム３００Ｙ〜３００Ｂの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｂ）は、それぞれの色（イエロー、マゼンタ、シアン、ブラック）を示している。
【００２３】
４つのプロセスカートリッジ３１Ｙ〜３１Ｂのそれぞれは、プリンタ本体１０２から取り外し可能に構成されており、交換可能となっている。なお、４つのプロセスカートリッジ３１Ｙ〜３１Ｂは、形成する画像の色が異なること以外は同じ構成であるため、イエロー（Ｙ）の画像を形成するプロセスカートリッジ３１Ｙの構成を説明することで、プロセスカートリッジ３１Ｍ〜３１Ｋの説明は省略する。
【００２４】
プロセスカートリッジ３１Ｙは、像担持体としての感光体ドラム３００Ｙと、感光体ドラム３００Ｙを帯電させる帯電器３１０Ｙと、感光体ドラム３００Ｙ上に形成された静電潜像を現像する現像装置３２０Ｙと、感光体ドラム３００Ｙの表面に残留するトナーを除去するドラムクリーナ３３０Ｙと、を備えている。現像装置３２０Ｙは、感光体ドラム３００Ｙを現像する現像装置本体３２１Ｙと、現像装置本体３２１Ｙにトナーを供給するトナーカートリッジ３２２Ｙと、を備えている。トナーカートリッジ３２２Ｙは、現像装置本体３２１Ｙに着脱可能に構成されており、収容されたトナーが無くなると、現像装置本体３２１Ｙから取り外して、交換することができるようになっている。
【００２５】
露光装置３２は、レーザ光を照射する光源（図示せず）と、レーザ光を感光体ドラム３００Ｙ〜３００Ｂに導く複数のミラー（図示せず）等と、を備えている。転写部３３は、感光体ドラム３００Ｙ〜３００Ｂに形成されたトナー像を担持する中間転写ベルト３５と、感光体ドラム３００Ｙ〜３００Ｂに形成されたトナー像を中間転写ベルト３５に一次転写する一次転写ローラ３６Ｙ〜３６Ｂと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｂによって感光体ドラム３００Ｙ〜３００Ｂに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３１は、シートを加熱する加熱ローラ３１ａと、加熱ローラ３１ａに圧接する加圧ローラ３１ｂと、を備えている、
【００２６】
操作部１０３は、所定の情報を表示する表示部１０３ａと、ユーザが画像読取装置１０１及びプリンタ本体１０２への指示を入力する入力部１０３ｂと、を備えている。本実施形態においては、操作部１０３は、読取装置本体４１０の正面側に配設されている。なお、正面側とは図１の表面側であり、図１の裏面側が背面側となる。
【００２７】
図２に示すように、制御部１０４は、シート給送部１０、手差し給送部２０、画像形成部３０及び画像読取装置１０１を駆動制御するＣＰＵ１０４ａと、各種プログラムや各種情報等を記憶するメモリ１０４ｂと、を備えている。制御部１０４は、ユーザによる操作部１０３への操作に基づいて、これらを用いてシート給送部１０、手差し給送部２０、画像形成部３０及び画像読取装置１０１の動作を統合して制御し、シートに画像を形成させる。
【００２８】
次に、上述のように構成されたプリンタ１００による画像形成動作（制御部１０４による画像形成制御）について説明する。本実施形態においては、原稿自動給送部４００により給送され、読取装置本体４１０により読み取られた原稿の画像を、シート給送部１０により給送されるシートに画像形成部３０が形成する画像形成動作を用いて説明する。
【００２９】
ユーザによる操作部１０３の入力部１０３ｂへの入力により、画像形成開始信号が発信されると、ユーザにより原稿自動給送部４００に載置された原稿が原稿読取位置に向けて自動給送され、原稿読取位置で読取装置本体４１０によって画像が読み取られる。
【００３０】
読取装置本体４１０により原稿の画像が読み取られると、読み取られた原稿の画像情報に基づいて、露光装置３２が感光体ドラム３００Ｙ〜３００Ｂに向けてレーザ光を照射する。このとき、感光体ドラム３００Ｙ〜３００Ｂは、帯電器３１０Ｙ〜３１０Ｂにより予め帯電されており、レーザ光が照射されることで感光体ドラム３００Ｙ〜３００Ｂ上に静電潜像が形成される。その後、現像装置３２０Ｙ〜３２０Ｂにより感光体ドラム３００Ｙ〜３００Ｂ上の静電潜像が現像され、感光体ドラム３００Ｙ〜３００Ｂ上に、イエロー（Ｙ）、マゼンタ（Ｍ）、シアン（Ｃ）及びブラック（Ｂ）のトナー像が形成される。感光体ドラム３００Ｙ〜３００Ｂ上に形成された各色のトナー像は、一次転写ローラ３６Ｙ〜３６Ｂによって中間転写ベルト３５に重畳転写され、重畳転写されたトナー像（フルカラーのトナー像）は、中間転写ベルト３５に担持された状態でニップ部Ｎまで搬送される。
【００３１】
上述の画像形成動作に並行して、シート積載部１１に積載されたシートが、分離給送部１２によって１枚ずつに分離されながら、ピックアップローラ１５によりシート搬送路１０５に給送される。そして、ニップ部Ｎのシート搬送方向上流にあるレジストローラ対１０６で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００３２】
トナー像が転写されたシートは、定着部３４で加熱・加圧されることでトナー像が溶融定着され、排出ローラ対１０７により装置外に排出される。装置外に排出されたシートは、排出シート積載部１０８に積載される。
【００３３】
なお、シートの両面（第１面及び第２面）に画像を形成する場合には、第１面に画像が形成されたシートが装置外に排出される前に、排出ローラ対１０７を逆回転させて両面搬送路１０９に搬送し、両面搬送路１０９を介して画像形成部３０に再搬送する。そして、第１面と同様に、第２面に画像を形成し、装置外に排出する。装置外に排出されたシートは、排出シート積載部１０８に積載される。
【００３４】
次に、上述した画像読取装置１０１について、図１に加え、図３から図８を参照しながら説明する。まず、画像読取装置１０１の概略構成について、図３及び図４を参照しながら説明する。図３（ａ）は、本実施形態に係る画像読取装置１０１の斜視図であり、（ｂ）はプラテンカバーを開いた状態を示す斜視図である。図４（ａ）は、本実施形態に係る読取装置本体４１０の内部構造を示す斜視図であり、（ｂ）は（ａ）のＩＶｂ−ＩＶｂ´断面図である。
【００３５】
図３（ａ）に示すように、画像読取装置１０１は、原稿を自動給送する原稿自動給送部４００と、原稿の画像を読み取る読取装置本体４１０と、を備えている。図３（ｂ）に示すように、原稿自動給送部４００は、読取装置本体４１０の正面側が開放自在となるように、不図示の蝶番によって、読取装置本体４１０の背面側に回動自在に支持されている。
【００３６】
図１に示すように、原稿自動給送部４００は、原稿を自動給送する自動給送装置本体４０１と、読取装置本体４１０に開閉自在に支持されるプラテンカバー４０２と、を備えている。
【００３７】
自動給送装置本体４０１は、原稿を積載する原稿給送トレイ４０３と、原稿を１枚ずつ分離給送する分離給送手段４０４と、原稿を原稿読取位置に搬送する搬送ローラ対４０５と、画像が読み取られた原稿を排出する排出ローラ対４０６と、を備えている。原稿給送トレイ４０３に積載された原稿は、分離給送手段４０４により１枚ずつ分離給送され、搬送ローラ対４０５により原稿読取位置に搬送される。原稿読取位置に搬送された原稿は、原稿読取位置で読取装置本体４１０により画像が読み取られ、排出ローラ対４０６によってプラテンカバー４０２の上面に設けられた原稿排出部４０７に排出される。なお、原稿の両面の画像を読み取る場合は、原稿が原稿排出部４０７に排出される前に排出ローラ対４０６を逆回転させて原稿を両面搬送路４０８に搬送し、第１面と同様の動作により第２面の画像を読み取る。
【００３８】
図３に示すように、プラテンカバー４０２は、自動給送装置本体４０１と一体に形成されている。また、プラテンカバー４０２は、読取装置本体４１０に対して開方向に回動させる（開く）と後述するプラテンガラス４１１を露出させ、読取装置本体４１０に対して閉方向に回動させる（閉じる）と、プラテンガラス４１１に載置された原稿を押圧して原稿を安定させる。
【００３９】
図３及び図４に示すように、読取装置本体４１０は、上面にプラテンガラス４１１が配置された筐体４１２と、筐体４１２の内部に配置される画像読取部４２０と、読み取った画像の画質調整（ゲイン調整を含む）等を行う画像処理部４１３と、プラテンカバー４０２の開閉状態を検出する開閉検知センサ４１４と、プラテンガラス４１１上の原稿のサイズを検知する原稿サイズ検知センサ４１５と、を備えている。なお、本発明の読取り手段は画像読取部として機能し、画質調整手段は画像処理部として機能する。また、本発明の外光遮断検知手段は、開閉検知センサ及び原稿サイズ検知センサとして機能し、原稿検知センサは、原稿サイズ検知センサとして機能する。
【００４０】
図４に示すように、画像読取部４２０は、プラテンガラス４１１上に載置された原稿に向けて光を照射するランプ（光源）４２１と、原稿からの反射光がプラテンガラス４１１と略平行になるように反射光を反射させる第１〜第３ミラー４２２ａ〜４２２ｃと、第１〜第３ミラー４２２ａ〜４２２ｃによって反射された原稿の反射光を集光するレンズ（光学系）４２３と、レンズ４２３により集光された光を電気信号に光電変換するイメージセンサ（光電変換部）４２４と、を備えている。
【００４１】
ランプ４２１及び第１ミラー４２２ａは、第１キャリッジ４２５に配設されており、副走査方向に移動可能に構成されている。第２及び第３ミラー４２２ｂ、４２２ｃは、第２キャリッジ４２６に配設されており、ランプ４２１及び第１ミラー４２２ａと同様に、副走査方向に移動可能に構成されている。第１キャリッジ４２５及び第２キャリッジ４２６は、駆動モータ４２７により副走査方向に駆動される。レンズ４２３は、入射方向が副走査方向と略平行になるように、プラテンガラス４１１の下方において、副走査方向の一方側におけるプラテンガラス４１１の近傍に固定されている。イメージセンサ４２４は、レンズ４２３の入射方向における下流側に配設されており、レンズ４２３により集光された光を光電変換する。
【００４２】
画像処理部４１３は、所定のタイミングでランプ４２１を照射させ、前回のランプ４２１のレベルと現在のランプ４２１のレベルとを比較して、現在のランプ４２１のレベルが前回のランプのレベルよりも所定以上低下していた場合には、読み取った画像の画質調整（ゲイン調整を含む）等を行う。なお、所定のタイミングとは、例えば、電源起動時及びスリープからの起動時等、予め設定されているタイミングである。
【００４３】
開閉検知センサ４１４は、プラテンカバー４０２の不図示の蝶番と反対側（正面側）の端部に設けられており、プラテンカバー４０２が閉じられた際に読取装置本体４１０に接触することで、プラテンカバー４０２の閉状態を検出する。例えば、開閉検知センサ４１４は、読取装置本体４１０に接触することで閉信号を発信する。なお、開閉検知センサは、プラテンカバー４０２が開かれた際（読取装置本体４１０からプラテンカバー４０２が離れた際）に、開信号を発信する構成であってもよい。
【００４４】
原稿サイズ検知センサ４１５は、副走査方向に配置され、プラテンガラス４１１上に載置された原稿に向けて光を照射する複数の発光部４１５ａと、主走査方向における複数の発光部４１５ａと反対側において複数の発光部４１５ａと対向配置され、複数の発光部４１５ａの光を受光可能な複数の受光部４１５ｂと、を備えている。原稿サイズ検知センサ４１５は、複数の発光部４１５ａが発光した光を複数の受光部４１５ｂが受光し、複数の受光部４１５ｂが受光した受光領域に基づいて、原稿のサイズを検知する。つまり、複数の受光部４１５ｂの全てが、複数の発光部４１５ａの発光する光を受光した場合は、プラテンガラス４１１上に原稿が載置されていない状態と判断することができる。
【００４５】
次に、上述のように構成された画像読取装置１０１による原稿の画像読取り動作（制御部１０４による画像読取り制御）について、図５を参照しながら説明する。ここでは、プラテンガラス４１１上に載置した原稿の画像を画像読取部４２０が読み取る画像読取り動作（制御部１０４による画像読取り制御）を用いて説明する。図５は、読取装置本体４１０による原稿の読取り動作を示す図である。
【００４６】
まず、ユーザがプラテンカバー４０２を開けてプラテンガラス４１１を露出し、プラテンガラス４１１上の所定の位置に原稿を載置する。原稿を載置すると、ユーザがプラテンカバー４０２を閉じることでプラテンカバー４０２が原稿を押圧し、プラテンガラス４１１上の原稿の載置位置が安定する。また、ユーザによりプラテンカバー４０２が閉じられると、原稿サイズ検知センサ４１５により原稿のサイズが検知される。なお、プラテンカバー４０２の開閉の有無は、開閉検知センサ４１４により検知される。
【００４７】
このとき、プリンタ１００がスリープ状態になっていた場合には、画像処理部４１３が画質調整を行う。具体的には、画像処理部４１３は、一旦ランプ４２１を発光させて、まずゲイン調整を行い、その後、白シェーディング調整及び黒シェーディング調整を行う。なお、画質調整を行うタイミングについては、後に詳しく説明する。
【００４８】
次に、ユーザによる操作部１０３への操作により、画像読取部４２０による原稿の画像読取り動作が開始されると、図５（ａ）に示すように、ランプ４２１がプラテンガラス４１１上の原稿に向けて光を照射する。原稿に向けて照射された光は、原稿に当たって反射し、第１ミラー４２２ａによって第２ミラー４２２ｂに反射される。第２ミラー４２２ｂに反射された光（反射光）は、第３ミラー４２２ｃに反射され、第３ミラー４２２ｃによってレンズ４２３に向けて反射される。レンズ４２３に向けて反射された光は、レンズ４２３によって集光され、イメージセンサ４２４によって電気信号に光電変換される。図５（ｂ）及び（ｃ）に示すように、第１キャリッジ２４５及び第２キャリッジ２４６を動かしながらこの動作を行うことで原稿を副走査方向に走査し、原稿の画像を読み取る。光電変換された電気信号は、露光装置３２に送られ、前述した画像形成動作が行われる。
【００４９】
次に、画像処理部４１３が画質調整を行うタイミングについて、図６から図８を参照しながら説明する。図６（ａ）はゲイン調整時のイメージセンサ４２４から入力される正常時の画像処理部４１３の入力値を示し、図６（ｂ）及び（ｃ）はゲイン調整時のイメージセンサ４２４から入力される異常時の画像処理部４１３の入力値を示す図である。図７は、第１実施形態に係るプリンタ１００の画質調整時の動作を示すフローチャートである。図８は、第１実施形態に係る画像読取装置の表示部及び表示部に表示されるメッセージを示す図である。
【００５０】
なお、図６（ａ）、（ｂ）、（ｃ）それぞれの下部の線は、イメージセンサ４２４から出力され、その後段にある画像処理部４１３に入力される信号のレベルを示す。このレベルは、画像処理部４１３からみたこの信号の入力値を示す。図６（ａ）の下部の線は、外光がイメージセンサ４２４に差し込まずに正常である場合のものである。図６（ｂ）の下部の線は、強い外光が入射することにより、入力値が異常となった場合のものである。図６（ｃ）の下部の線は、強い外光が入射すること、又は、センサ異常が発生したことにより、入力値が異常となった場合のものである。
【００５１】
前述したように、原稿の反射光を集光するレンズ４２３は、入射方向がプラテンガラス４１１と略平行になるように、プラテンガラス４１１の下方に固定されている。そのため、原稿をプラテンガラス４１１の上に載置するためにプラテンカバー４０２を開けると、プラテンガラス４１１の載置面に対して所定の範囲の角度（例えば、載置面に対して０度から３０度の範囲の角度）に太陽が位置していると、夕日や西日等の外光がプラテンガラス４１１を介してレンズ４２３に入射する場合がある。これは、夕日や西日以外にも、プラテンガラスの載置面に対して所定の範囲の角度内に光量の大きな光源がある場合は、光源からの光（外光）がレンズ４２３に入射する場合がある。
【００５２】
このような外光がレンズ４２３に入射すると、イメージセンサ４２４に入力される入力値（光量）が異常になる。例えば、プラテンカバーを閉じた状態であれば、イメージセンサ４２４に入力される黒レベルに対応する画像処理部４１３の入力値は図６（ａ）に示すような値になるのに対し、外光が入射しているおそれがある場合は、イメージセンサ４２４に入力される黒レベルに対応する画像処理部４１３の入力値が図６（ｂ）に示すような値になり、強い外光が入射しているか、イメージセンサ等に不具合が生じている場合等は、イメージセンサ４２４に入力される黒レベルに対応する画像処理部４１３の入力値が図６（ｃ）に示すような値になる。
【００５３】
そこで、本実施形態に係るプリンタ１００は、プラテンガラス４１１を介してレンズ４２３に入射する外光が遮られた状態で画質調整を行うように設定されている。具体的には、所定のタイミング（例えば、スリープからの立ち上がり時等）で発信される画質調整開始信号を受信した後、プラテンカバー４０２が閉じられるか、プラテンガラス４１１上に原稿が載置されている場合に、画質調整を実行するように設定されている。以下、所定のタイミングで実行される画質調整の一例として、スリープからの立ち上がり時の画質調整について、図７及び図８を参照しながら説明する。
【００５４】
図７に示すように、スリープからの立ち上がり時等、所定のタイミングで画質調整開始指示の信号（実行信号）が入力されると、まず、制御部１０４は、プラテンカバー４０２が開いているか否かを確認する（ステップＳ１０）。なお、プラテンカバー４０２の開閉の有無は、開閉検知センサ４１４から閉信号を制御部１０４が入力しているか否かにより判断される。ここで、プラテンカバー４０２が閉じられていれば（ステップＳ１０でＮＯ）、制御部１０４は、画像処理部４１３に画質調整を実行させる。具体的には、画像処理部４１３は、まず、ランプ４２１を発光させてゲイン調整（ステップＳ１３）を行い、その後、ゲイン調整により得られる白レベルデータ及び黒レベルデータに基づいて、白レベルのシェーディング調整（シェーディング補正）及び黒レベルのシェーディング調整（シェーディング補正）を行う（ステップＳ１４、Ｓ１５）。画像処理部４１３による白レベル及び黒レベルのシェーディング調整が完了すると、制御部１０４は、画像処理部４１３に画質調整を終了させる。なお、この例では、ゲイン調整、白レベルのシェーディング調整及び黒レベルのシェーディング調整が画質調整に含まれることとしたが、本発明では、ゲイン調整、白レベルのシェーディング調整及び黒レベルのシェーディング調整のうちの少なくとも１つが含まれているものを画像調整という。また、これらの３つの調整以外の画像調整（例えば、ホワイトバランス調整、色相調整など）も本発明における画像調整に含まれる。
【００５５】
一方、プラテンカバー４０２が開いている場合には（ステップＳ１０でＹＥＳ）、制御部１０４は、図８（ａ）に示すように、表示部１０３ａに、「プラテンカバーを閉めてください。」と所定のメッセージを表示させ、図８（ｂ）に示すように、ユーザがプラテンカバー４０２を閉じるように促す（ステップＳ１１）。所定のメッセージの表示は、ユーザによってプラテンカバー４０２が閉じられるか、又は、プラテンガラス４１１上に原稿が載置されるまで行われ、その間、画質調整は保留される。ユーザによってプラテンカバー４０２が閉じられるか、又は、プラテンガラス４１１上に原稿が載置される（ステップＳ１２でＹＥＳ）と、制御部１０４は、画像処理部４１３に画質調整（ゲイン調整、白レベルのシェーディング調整及び黒レベルのシェーディング調整）を実行させる（ステップＳ１３〜Ｓ１５）。画像処理部４１３によるゲイン調整、白レベルのシェーディング調整及び黒レベルのシェーディング調整が完了すると、制御部１０４は、画質調整を終了する。
【００５６】
以上説明したように、第１実施形態に係るプリンタ１００は、プラテンガラス４１１を介して所定の範囲の角度でレンズ４２３に入射する外光が遮られた状態で画質調整を開始するように設定されている。そのため、画質調整時に、外光に起因する入力値の異常が発生することを防止することができる。これにより、画質調整時の入力値異常による複写不良や、異常検出による不要な装置停止の発生を防止することができる。
【００５７】
また、プリンタ１００は、プラテンカバー４０２が閉じられるか、プラテンガラス４１１上に原稿が載置されるまで、画質調整の実行を保留するように設定されている。言い換えると、プラテンカバー４０２が閉じられるか、プラテンガラス４１１上に原稿が載置されて初めて、画質調整を開始するように設定されている。そのため、確実に外光が遮られた状態で画質調整を行うことになり、ユーザに安定した画質の画像を提供することができる。これにより、例えば、コンビニエンスストア等、対価を伴うサービスを提供する場合に、画質の低下した画像を出力することを防止することが可能になり、ユーザに不要な対価を支払わせることを防止可能になる。
【００５８】
また、プリンタ１００は、プラテンカバー４０２が開いている場合には、画質調整を保留すると共に、表示部１０３ａにプラテンカバー４０２が開いている旨を表示する。そのため、ユーザに、複写が開始されない原因を通知することが可能になり、ユーザに対して、プラテンカバー４０２を閉じることを促すことができる。
【００５９】
＜第２実施形態＞
次に、本発明の第２実施形態に係るプリンタ１００Ｂについて、図１及び図２を援用すると共に、図９から図１１を参照しながら説明する。第２実施形態に係るプリンタ１００Ａは、画像処理部４１３が画質調整を行う際の動作が第１実施形態と相違する。そのため、ここでは、第１実施形態と相違する点、即ち、画像処理部４１３による画質調整動作を中心に説明し、プリンタ１００Ａの構成については、第１実施形態と同じ符号を付して、その説明を省略する。図９は、第２実施形態に係るプリンタ１００Ａの画質調整時の動作を示すフローチャートである。図１０（ａ）は、第２実施形態に係る画像読取装置１０１の表示部１０３ａに表示されるメッセージを示す図であり、図１０（ｂ）は、プラテンガラス４１１上に原稿が置かれた状態を示す斜視図である。る。図１１は、ゲイン調整における黒レベルの基準データを示す図である。
【００６０】
前述したように、原稿の反射光を集光するレンズ４２３は、入射方向がプラテンガラス４１１と略平行になるように、プラテンガラス４１１の下方に固定されている。そのため、原稿をプラテンガラス４１１の上に載置するためにプラテンカバー４０２を開けると、例えば、プラテンガラス４１１の載置面に対して所定の範囲の角度（例えば、載置面に対して０度から３０度の範囲の角度）に太陽が位置していると、夕日や西日等の外光がプラテンガラス４１１を介してレンズ４２３に入射する場合がある。これは、夕日や西日以外にも、プラテンガラスの載置面に対して所定の範囲の角度に光源がある場合は、光源からの光（外光）がレンズ４２３に入射する場合がある。このような外光がレンズ４２３に入射すると、図１１（ａ）に示すように、イメージセンサ４２４に入力される光量に対応する画像処理部４１３の入力値が異常になる。具体的には、ゲイン調整時のイメージセンサ４２４に入力される黒レベルに対応する画像処理部４１３の入力値が異常になる。
【００６１】
そこで、本実施形態に係るプリンタ１００Ａは、外光の有無に基づいて、画質調整を保留したり、基準データ（例えば、図１１（ｂ）参照）に基づいて黒レベルのシェーディング調整（シェーディング補正）を実行したりするように設定されている。以下、所定のタイミングで実行される画質調整の一例として、スリープからの立ち上がり時の画質調整について、図９から図１１を参照しながら具体的に説明する。
【００６２】
図９に示すように、スリープからの立ち上がり時等、所定のタイミングで画質調整開始指示の信号（実行信号）が入力されると、まず、制御部１０４は、まず、画像処理部４１３に外光の有無を確認させる。具体的には、制御部１０４は、画像処理部４１３に黒レベルの確認（ゲイン調整の一部）を行わせる（ステップＳ２０）。ここで、外光の入射が無い（黒レベルの異常なし）と判断された場合（ステップＳ２１でＮＯ）には、制御部１０４は、画像処理部４１３に画質調整を実行させる。具体的には、画像処理部４１３は、まず、ランプ４２１を発光させてゲイン調整（ステップＳ２５）を行い、その後、ゲイン調整により得られる白レベルデータ及び黒レベルデータに基づいて、白レベルのシェーディング調整（シェーディング補正）及び黒レベのルシェーディング調整（シェーディング補正）を行う（ステップＳ２６、Ｓ２７）。画像処理部４１３による白レベル及び黒レベルのシェーディング調整が完了すると、制御部１０４は、画像処理部４１３に画質調整を終了させる。
【００６３】
一方、外光の入射あり（黒レベルの異常あり）と判断された場合（ステップＳ２１でＹＥＳ）には、制御部１０４は、画像処理部４１３に画質調整を保留させると共に、図１０（ａ）に示すように、表示部１０３ａに「プラテンカバーを閉めてください。外光が入り込んでいる可能性があります。」及び「このまま継続しますか」を表示させ、ユーザに、画像処理をこのまま継続させるかを選択させる（ステップＳ２２、Ｓ２３）。ここで、「このまま継続する」とは、プラテンカバー４０２を閉めなくても継続することを意味する。この場合には、ユーザは「はい」を選択する。逆に、「このまま継続しない」とは、プラテンカバー４０２を閉めなければ継続しないことを意味する。この場合には、ユーザは「いいえ」を選択する。「はい」と「いいえ」の周辺に、これらの意味に関する説明文を追加して表示してもよい。
【００６４】
なお、図１０（ｂ）に示すように、プラテンカバー４０２を閉める代わりに、原稿をプラテンガラス４１１に載置することによっても、プラテンカバー４０２を閉める場合と同様に、外光遮断の効果を得られるので、これを知っているユーザは、「いいえ」を選択し、プラテンカバー４０２を閉める代わりに原稿をプラテンガラス４１１に載置することもある。また、このようなことを知らせるための説明文を追加して表示してもよい。
【００６５】
ここで、ユーザがこのまま継続しない旨を選択した場合（ステップＳ２３でＮＯ）、制御部１０４は、プラテンカバー４０２が閉じられず、且つ、プラテンガラス４１１上に原稿が載置されない状態が継続している期間は、「プラテンカバーを閉めてください。」の表示を継続させ、画質調整を保留する（ステップＳ２４でＮＯ）。そして、プラテンカバー４０２が閉じられるか、又は、プラテンガラス４１１上に原稿が載置されると（ステップＳ２４でＹＥＳ）、「プラテンカバーを閉めてください。」の表示を消すと共に保留を解除し、画像処理部４１３に画質調整（ゲイン調整、白レベルのシェーディング調整及び黒レベルのシェーディング調整）を実行させる（ステップＳ２５〜Ｓ２７）。
【００６６】
また、ユーザがこのまま継続する旨を選択した場合（ステップＳ２２でＹＥＳ）、制御部１０４は、画像処理部４１３に画質調整（ゲイン調整、白レベル及び黒レベルのシェーディング調整）を実行させる。そして、この時点でのゲイン調整でも外光の入射あり（黒レベルの異常あり）と判断された場合は、黒レベルの調整値を基準値（基準データ）に置き換えて、画像処理部４１３に黒レベル調整を行わせる（ステップＳ３０〜Ｓ３５）。なお、画像処理部４１３に画質調整を実行させた時点で、外光の入射なし（黒レベルの異常なし）と判断された場合（ステップＳ３４でＮＯ）には、制御部１０４は、基準値（基準データ）に置き換えることなく画像処理部４１３に画質調整を終了させる。
【００６７】
つまり、ステップＳ３０〜Ｓ３５では、次のことを行っている。すなわち、所定の外光が筐体の外部からプラテンガラスに到達しようとしても、この到達の前に所定の障害物により遮られる入射不能状態に入射状態から遷移しているか否かに関わらず、画質調整手段に画質調整を実行させ（ステップＳ３０〜Ｓ３３）、該実行後に該実行の結果に基づいて、該実行が前記入射状態で行われたか否かを判断し（ステップＳ３４）、該判断の結果が肯定的であれば（ステップＳ３４でＹＥＳ）、実行の結果を修正している（ステップＳ３５）。
【００６８】
以上説明したように、第２実施形態に係るプリンタ１００Ａは、プラテンカバー４０２の開閉の有無に関わらず画像処理部４１３に黒レベルの確認（ゲイン調整の一部）を実行させ、黒レベルの確認において外光の入射ありと判断されると、画質調整を保留し、黒レベルに異常がない場合は、画像処理部４１３に画質調整を実行させる。そのため、外光の入射がある場合は、第１実施形態と同様に、複写不良や不要な装置停止の発生を防止可能になり、異常がない場合（外光の入射が無い場合）は、そのまま画質調整を行うため、複写時間が遅くなることを防止可能になる。
【００６９】
また、外光の入射がある場合は、黒レベルのシューティング調整値を基準値（基準データ）に置換して調整する。そのため、例えば、突発的な異常に対してトラブルとしないため、不要に装置が停止することを防止することができる。
【００７０】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００７１】
例えば、本実施形態においては、プラテンガラス４１１を介してレンズ４２３に入射する外光が遮られた状態として、プラテンカバー４０２が閉じられた状態及びプラテンガラス４１１上に原稿が載置された状態を用いて説明したが、本発明はこれに限定されない。例えば、外光を遮る方向に遮断板を設けたり、プラテンカバー４０２の開動作に連動して外光を遮る方向に遮断手段等を延出させたりして、レンズ４２３に入射する外光を遮らせる構成としてもよい。
【００７２】
また、本実施形態においては、外光遮断検知手段として、開閉検知センサ及び原稿サイズ検知センサを用いて外光が遮られた状態であるか否かを検知させたが、本発明はこれに限定されない。外光遮断検知手段としては、例えば、上述した遮断板や遮断手段の有無を検知する遮断検知センサ等を設ける構成であってもよい。
【符号の説明】
【００７３】
１００    レーザビームプリンタ（画像形成装置）
１０１    画像読取装置
１０２    プリンタ本体（画像形成装置本体）
１０４    制御部（制御手段）
４１１    プラテンガラス
４１２    筐体
４１３    画像処理部（画質調整手段）
４１４    開閉検知センサ（外光遮断検知手段）
４１５    原稿サイズ検知センサ（原稿検知センサ、外光遮断検知手段）
４２０    画像読取部（読取り手段）
４２１    ランプ（光源）
４２３    レンズ（光学系）
４２４    イメージセンサ（光電変換部）
【図１】
2016052109.tif 000003
【図２】
2016052109.tif 000004
【図３】
2016052109.tif 000005
【図７】
2016052109.tif 000006
【図９】
2016052109.tif 000007
【図４】
2016052109.tif 000008
【図５】
2016052109.tif 000009
【図６】
2016052109.tif 000010
【図８】
2016052109.tif 000011
【図１０】
2016052109.tif 000012
【図１１】
2016052109.tif 000013